(57)【要約】【課題】送風機を吊りボルトから取り外すことなく、送風機の向きを容易に変更できる送風装置を提供する。【解決手段】吊りボルト１１により固定され、平面形状が円形の回転支持台１０と、回転支持台１０の下面に天井板６０に対して水平方向に回転自在に固定される回転台１２と、回転台１２の下面に固定され、室内の空気を吸い込んで前方へ送風する複数のファンモーター２を有し、送風方向を上下に可変自在の送風機５０とを備えている。【選択図】図１
2015021684.tif 000002
【特許請求の範囲】
【請求項１】
吊りボルトにより固定された回転支持台と、
前記回転支持台の下面に、据付面に対して水平方向に回転自在に固定された回転台と、
前記回転台の下面に固定され、室内の空気を吸い込んで前方へ送風する複数のファンモーターを有し、送風方向を上下に可変自在の送風機と
を備えたことを特徴とする送風装置。
【請求項２】
前記回転支持台は、平面形状が円形に形成され、
前記回転台は、前記回転支持台の角部に引っ掛かる鉤部を有する支え板を備え、
前記支え板は、前記回転台の固定が前記回転支持台から解かれたときに、前記鉤部が前記回転台と前記送風機とを支え、当該回転台が水平方向に回転されると、前記支え板の鉤部が前記回転支持台の角部を周方向に摺動することを特徴とする請求項１記載の送風装置。
【請求項３】
前記回転支持台は、下面に周方向に等間隔に設けられた複数のネジ穴を有し、
前記回転台は、上部に前記複数のネジ穴の何れにも対向する当該ネジ穴よりも少ない複数の穴を有する水平角度調節板を備え、
前記回転支持台に設けられた複数のネジ穴のうち、前記水平角度調節板の穴と対向するネジ穴に合わせることによって、前記送風機の送風方向を可変することができることを特徴とする請求項２記載の送風装置。
【請求項４】
前記回転台の両端に、前記送風機の据付面に対する傾きを調節する傾き調節手段を設けたことを特徴とする請求項１〜３の何れか一項に記載の送風装置。
【発明の詳細な説明】
【技術分野】
【０００１】
本発明は、例えば、オフィス、事務所、店舗等の室内の空気をサーキュレーションする送風装置に関するものである。
【背景技術】
【０００２】
従来の送風装置として、建物の天井等に取り付けられる連結部材に３台の送風機を取り付けたものがある。３台の送風機のうち、連結部材の両端に取り付けられた２台の送風機は、送風方向を天井面に対し水平に可変することができるように、連結部材に取り付けられている（例えば、特許文献１参照）。
【先行技術文献】
【特許文献】
【０００３】
【特許文献１】特開２００８−１４５０９９号公報（要約）
【発明の概要】
【発明が解決しようとする課題】
【０００４】
前述のような従来の送風装置では、３台の送風機を用いて、水平方向の送風を任意に設定できるものの、送風機が３台必要となり、コスト高となる可能性がある。また、連結部材の両端の送風機は、中央のみが回転自在に連結部材に固定されているため、その送風機の駆動時に発生する振動により、天井面に対して傾く可能性があった。
【０００５】
吊りボルトで送風機を固定する送風装置においては、上下方向の送風は可能であるが、送風機が吊りボルトで固定されているため、水平方向への変更ができなかった。送風機の水平方向の向きを変更する場合、送風機を吊りボルトから外して床に下ろす必要があり、作業に手間がかかっていた。
【０００６】
本発明は、前述のような課題を解決するためになされたもので、送風機を吊りボルトから取り外すことなく、送風機の水平方向の向きを容易に変更できる送風装置を提供することを目的とする。
【課題を解決するための手段】
【０００７】
本発明に係る送風装置は、吊りボルトにより固定された回転支持台と、回転支持台の下面に、据付面に対して水平方向に回転自在に固定された回転台と、回転台の下面に固定され、室内の空気を吸い込んで前方へ送風する複数のファンモーターを有し、送風方向を上下に可変自在の送風機とを備えたものである。
【発明の効果】
【０００８】
本発明においては、吊りボルトにより固定された回転支持台と、回転支持台の下面に、据付面に対して水平方向に回転自在に固定される回転台とを備えているので、送風機の向きを回転台と共に変更できる。このため、送風機を吊りボルトから取り外す必要がなくなり、送風機の送風方向の変更作業を容易にできる。
【図面の簡単な説明】
【０００９】
【図１】実施の形態に係る送風装置を示す正面図及び下面図。
【図２】図１の送風機を示す正面図及び側面図。
【図３】図１に示す回転支持台の側面図及び下面図。
【図４】図１に示す回転台の側面図及び下面図。
【図５】実施の形態の送風装置における回転台の取り付け例を示す図。
【図６】実施の形態の送風装置における送風機の取り付け例を示す側面図及び送風機の片側の正面図。
【発明を実施するための形態】
【００１０】
図１は本発明の実施の形態に係る送風装置を示す正面図及び下面図である。
実施の形態に係る送風装置は、例えば、オフィス、事務所、店舗等の室内の空気をサーキュレーションするために用いられている。この送風装置は、図１に示すように、据付面である天井板６０に開けられた穴６１から下部が露出するように、吊りボルト１１とナット１１ａとによって固定された回転支持台１０と、上部に円形形状の水平角度調節板１３を有し、更に、回転支持台１０の角部１０ｅに鉤部１４ａが引っ掛けられた一対の支え板１４を有する回転台１２と、回転台１２の両端の下面に固定された送風機５０とを備えている。
【００１１】
回転支持台１０は、後述するが、平面形状が円形に形成されている。水平角度調節板１３は、回転支持台１０の下面に、例えば４つの調節ネジ１６によって固定されている。支え板１４は、回転台１２及び水平角度調節板１３を貫通して、回転台１２の下面に固定ネジ１５によって固定されており、先端の鉤部１４ａが回転支持台１０の角部１０ｅに引っ掛けられた状態となっている。
【００１２】
前述の水平角度調節板１３は、下方から見た場合に天井板６０の穴６１が見えないように、穴６１よりも大きく形成されている。また、この水平角度調節板１３は、図１（ｂ）に示すように、周方向に設けられた４つの調節ネジ１６によって回転支持台１０の下面に取り付けられている。回転台１２は、送風機５０を真下から見た場合に送風機５０からはみ出さないように、略同じ形状に形成されている（図１（ｂ）参照）。
【００１３】
４つの調節ネジ１６を水平角度調節板１３から取り外して、回転台１２の固定を回転支持台１０から解いた場合、一対の支え板１４の鉤部１４ａが摺動自在に回転支持台１０の角部１０ｅに引っ掛かっているので、回転台１２と送風機５０とが落下することなく支えられる。この状態においては、送風機５０の向きを回転台１２と共に任意の方向へ回転させることができる。その場合、支え板１４の鉤部１４ａが回転支持台１０の角部１０ｅ上面を摺動する。これにより、送風機５０を３６０°回転させることができる。なお、送風機５０の水平方向の送風の変更については後述する。
【００１４】
図２は図１の送風機を示す正面図及び側面図である。なお、（ａ）は送風機の正面図、（ｂ）及び（ｃ）は送風機の左側面図で、そのうちの（ｃ）は送風機の吹出口を下方に向けた状態を示している。
【００１５】
送風機５０は、横長の直方体形状に形成され、奥行き方向の前後に開口を有する枠体１と、枠体１内に略等間隔に配置され、枠体１の開口を区分けする仕切板１ａと、枠体１内の仕切板１ａによって区分けされた各空間に設置され、枠体１の背面を吸引口７とし、枠体１の前面を吹出口３とするファンモーター２と、枠体１の前面に設けられ、各吹出口３を上下に分割するガイド部４と、枠体１の両側面に取り付けられた固定軸５に固定され、化粧カバー６により覆われた取付板（図６の符号２１を参照）とを備えている。
【００１６】
送風機５０の枠体１は、固定軸５に上下方向に回動自在に取り付けられている。これにより、図２（ｂ）、（ｃ）に示すように、送風機５０の吹出口３の向きを水平方向（０°）を基準に鉛直方向（９０°）まで任意に変えることができる。前述の取付板は、後述するが、固定ボルト（図６の符号１７を参照）によって回転台１２に取り付けられている。これにより、送風機５０が回転台１２に固定される。
【００１７】
次に、回転支持台１０の構造及び回転台１２の構成について、図３及び図４を用いて説明する。図３は図１に示す回転支持台の側面図及び下面図、図４は図１に示す回転台の側面図及び下面図である。
【００１８】
回転支持台１０は、前述したように平面形状が円形で、側面が凸形形状をなしている（図３参照）。回転支持台１０の下面には、下部開口の円形形状の凹み部１０ａが設けられている。また、下面の凹み部１０ａの周囲には、周方向に等間隔に複数のネジ穴１０ｄが設けられている。更に、凸形状の上部中央には、電源コードを通す引込穴１０ｃが設けられ、引込穴１０ｃの周囲には、周方向に例えば４つの穴１０ｂが設けられている。引込穴１０ｃと４つの穴１０ｂは、凹み部１０ａに連通する貫通穴である。
【００１９】
複数のネジ穴１０ｄは、内周面に雌ネジが切られており、送風機５０の吹出口３の方向に応じて、前述した４つの調節ネジ１６がねじ込まれる。４つの穴１０ｂは、前述の吊りボルト１１が挿入され、回転支持台１０を吊りボルト１１とナット１１ａとで固定するための穴である。
【００２０】
回転台１２は、図４に示すように、横長で、縦方向から見て略Ｕ字形状に形成されている。回転台１２の上部にスポット溶接等で固定された円形形状の水平角度調節板１３と、回転台１２及び水平角度調節板１３を貫通して、回転台１２の下面に固定ネジ１５によって固定される一対の支え板１４とを備えている。回転台１２の横方向の両端下面には、それぞれ縦方向に２つずつの固定ボルト１７が取り付けられている。また、回転台１２の固定ボルト１７の間には、雌ネジが切られたネジ穴１２ｃが設けられている。
【００２１】
また、回転台１２の中央には、電源コード挿入用の貫通穴１２ａが設けられている。水平角度調節板１３には、周方向に４つの穴１３ａが設けられ、更に、水平角度調節板１３の中央には、回転台１２の貫通穴１２ａと対向する電源コード挿入用に貫通穴１３ｂが設けられている。水平角度調節板１３の４つの穴１３ａは、回転支持台１０の各ネジ穴１０ｄと対向するように設けられている。
【００２２】
ここで、回転台１２の回転支持台１０への取り付け例について、図５を用いて説明する。図５は実施の形態の送風装置における回転台の取り付け例を示す図である。なお、（ａ）は回転支持台１０に回転台１２を固定した状態を示し、（ｂ）は支え板１４を回転支持台１０に引っ掛けて回転台１２に固定した状態を示す。
【００２３】
水平角度調節板１３に設けられた各穴１３ａから調節ネジ１６を差し込んで、回転支持台１０の複数のネジ穴１０ｄのうち任意のネジ穴１０ｄに調節ネジ１６をねじ込んで締め付けると、水平角度調節板１３と共に回転台１２が回転支持台１０に固定される。回転台１２と水平角度調節板１３とに設けられた軸心を同一とする四角形の穴１２ｂ、１３ｃに支え板１４を挿入し、その支え板１４を破線の矢印のように移動させて、支え板１４の鉤部１４ａを回転支持台１０の角部１０ｅに合わせる。そして、その支え板１４を固定ネジ１５で回転台１２に固定する。この取り付けにより、回転支持台１０から調節ネジ１６を取り外しても、支え板１４の鉤部１４ａが回転支持台１０の角部１０ｅに引っ掛かり、回転台１２の落下を防止する。
【００２４】
続いて、送風機５０の取り付け及び送風機５０の傾きの調整について、図６を用いて説明する。図６は実施の形態の送風装置における送風機の取り付け例を示す側面図及び送風機の片側の正面図である。なお、送風機５０の取り付け例を説明する前に、送風機５０の側面に固定された取付板２１について説明する。
【００２５】
取付板２１は、Ｌ字形状に形成され、長辺側の板２１ａが送風機５０の両側面にそれぞれ設けられた固定軸５に固定されている。
回転支持台１０に固定された回転台１２に送風機５０を固定する場合、取付板２１の短辺側の板２１ｂにそれぞれ設けられた２つの穴（図示せず）に、回転台１２の両端下面に取り付けられた固定ボルト１７を挿入させて、その固定ボルト１７をナット２２で締め付け、送風機５０を回転台１２に固定する。
【００２６】
天井板６０に対し回転台１２の送風機５０が傾いていた場合、取付板２１の短辺側の板２１ｂに設けられた前記穴の間に位置する穴（図示せず）から回転台１２に設けられた固定ボルト１７の間に位置するネジ穴１２ｃにストッパネジ３２をねじ込んで、例えば硬質ゴムからなる調整ストッパ３１を天井板６０に当てて調整する。なお、調整ストッパ３１とストッパネジ３２とで、傾き調整手段が構成される。
【００２７】
前記のように構成された送風装置において、送風機５０の水平方向の送風を変更する場合、先ず、４つの調節ネジ１６を水平角度調節板１３から取り外す。次いで、送風機５０の吹出口３が目的の方向に向くように、回転台１２を支え板１４と共に回転させると共に、回転支持台１０に設けられた複数のネジ穴１０ｄのうち、送風機５０の吹出口３が目的の方向となる最も近いネジ穴１０ｄに水平角度調節板１３の各穴１３ａを合わせる。そして、４つの調節ネジ１６をそれぞれ水平角度調節板１３を介して回転支持台１０にねじ込み、回転支持台１０に回転台１２を固定して、送風機５０の吹出口３を変更する。
【００２８】
以上のように実施の形態によれば、４つの調節ネジ１６を水平角度調節板１３から取り外しても、一対の支え板１４の鉤部１４ａが回転支持台１０の角部１０ｅに摺動自在に引っ掛かっているので、送風機５０を吊りボルト１１から取り外すことなく、送風機５０の吹出口３の向きを変更できる。このため、作業が容易となり、しかも送風機５０が落下することがないので、作業を安全に行うことができる。
【００２９】
また、ストッパネジ３２と調整ストッパ３１とで送風機５０の傾きを調整できるので、天井板６０に対する送風機５０の据付の見栄えの悪さを軽減することができる。
【符号の説明】
【００３０】
１  枠体、１ａ  仕切板、２  ファンモーター、３  吹出口、４  ガイド板、５  固定軸、６  化粧カバー、７  吸引口、１０  回転支持台、１０ａ  凹み部、１０ｂ  穴、１０ｃ  引込穴、１０ｄ  ネジ穴、１０ｅ  角部、１１  吊りボルト、１１ａ  ナット、１２  回転台、１２ａ  貫通穴、１２ｂ  四角形の穴、１２ｃ  ネジ穴、１３  水平角度調節板、１３ａ  穴、１３ｂ  貫通穴、１３ｃ  四角形の穴、１４  支え板、１４ａ  鉤部、１５  固定ネジ、１６  調節ネジ、１７  固定ボルト、２１  取付板、２１ａ  長辺側の板、２１ｂ  短辺側の板、２２  ナット、３１  調整ストッパ、３２  ストッパネジ、５０  送風機、６０  天井板、６１  穴。
【図１】
2015021684.tif 000003
【図２】
2015021684.tif 000004
【図３】
2015021684.tif 000005
【図４】
2015021684.tif 000006
【図５】
2015021684.tif 000007
【図６】
2015021684.tif 000008